(57)【要約】マルチバンドＲＦ回路が、２つ以上のバンド用の複数の受信パス、送信パス、及びこれらのパスを結合してアンテナに結合させるための双方向１入力多出力伝送線路接合部(100)を有する。スイッチは送信及び受信パスを結合し、そして受信パス回路(110, 150, 160, 230, 240)は、そのバンドの信号は通過させ、他のバンドの信号にとっては開放回路に見えるように構成されている。このことは、結合回路はもはや、受信パスが使用されていない際に受信パスを遮断する必要がないことを意味する。これにより、構成部品を減らし、従って、より長いバッテリ寿命またはより大きい送信範囲のために送信パスにおける損失を低減することができる。バンドフィルタ(ＳＡＷ)及びコンプリメンタリ回路は開放回路を達成することができる。上記バンドはＧＳＭ及びＧＰＳバンドを含むことができ、そして上記回路は、３バンド・モバイル・ハンドセット及び将来の３Ｇバンド用のハンドセット、あるいは基地局において使用することができる。
2008522533.tif 000002
【特許請求の範囲】
【請求項１】
２つ以上のバンド用の複数の受信パスと、前記バンドのうち少なくとも１つのバンド用の送信パスと、前記受信パスと前記送信パスとを結合してアンテナに結合させるための結合回路(100)と、前記バンド毎に、それぞれの前記受信パス内の前記結合回路の前方にあり、当該バンドの信号を通過させ、かつ他の前記バンドの信号にとって開放回路に見えるように構成された受信パス回路(110, 150, 160)とを具えていることを特徴とするマルチバンドＲＦ回路。
【請求項２】
前記結合回路が、前記バンドのうち２つ以上のバンドのパスを一緒に結合するための固定の双方向１入力多出力接合部(190, 200, 210)を有することを特徴とする請求項１に記載の回路。
【請求項３】
前記受信パス回路が、バンドフィルタ(160)、及び前記バンドフィルタの帯域外インピーダンスを補完して開放回路を達成するためのコンプリメンタリ回路(150)を有することを特徴とする請求項１または２に記載の回路。
【請求項４】
前記結合回路が、異なるバンドのパスを結合するための伝送線路接合部を具えていることを特徴とする請求項３に記載の回路。
【請求項５】
前記バンド毎に、前記送信パスと前記受信パスとを結合するためのスイッチを有することを特徴とする請求項１〜４のいずれかに記載の回路。
【請求項６】
請求項３に従属する際に、前記コンプリメンタリ回路の各々が、帯域内信号に対する特性インピーダンスを維持し、かつ帯域外信号にとって開放回路となることに寄与するための受動構成要素で構成されることを特徴とする請求項１〜５のいずれかに記載の回路。
【請求項７】
前記バンドフィルタが音響波フィルタで構成されることを特徴とする請求項１〜６のいずれかに記載の回路。
【請求項８】
２つのバンド用の複数のパスを有し、かつ２つの受信パスを有することを特徴とする請求項１〜７のいずれかに記載の回路。
【請求項９】
第３バンド用のパスを有し、送信パスを他の前記バンドと共用し、かつ独立した受信パス(220, 230)を有することを特徴とする請求項８に記載の回路。
【請求項１０】
前記第３バンドの受信パスを、前記結合回路の前方で他の前記バンドと結合するための第２伝送線路接合部を有することを特徴とする請求項９に記載の回路。
【請求項１１】
単一入力のアンテナ整合回路及びアンテナに結合された、請求項１〜１０のいずれかに記載のマルチバンドＲＦ回路を有する装置。
【請求項１２】
請求項１１に記載の装置を有するバッテリ給電のモバイル機器(300)。
【請求項１３】
請求項１１に記載の装置を有する固定無線基地局(310)。
【発明の詳細な説明】
【技術分野】
【０００１】
本発明は、マルチバンドＲＦ（多帯域無線周波数）回路、アンテナに結合されたこうした回路を有する装置、及びこうした回路を有するモバイル（移動、携帯）機器または固定基地局に関するものである。
【背景技術】
【０００２】
マルチバンド、通常は２つまたは３つのバンド（帯域）用のＲＦ回路をハンドセットに設けることが知られている。ダイプレクサ（デュプレクサ（二重器）またはマルチプレクサ（多重器）とも称される）を用いて、分離したバンド用のＲＦ回路をアンテナに結合する。このことは、複数の伝送パス（経路）の１つ以上をアンテナに効果的に切り替え、そしてアンテナからの複数の受信パスを分離する。図１に示すように、バンド毎にスイッチを設けて、送信及び受信パスを分離する。このダイプレクサは通常、受動構成部品で構成され、伝送経路中でいくらかの電力損失（パワーロス）を生じさせる。アンテナを共用する必要性、及び２つ以上のバンド間の整合（マッチング）回路によって生じる損失も存在し、これらの部分はいずれのバンドについても最適化することができないことを意味する。
【０００３】
【特許文献１】国際特許出願公開WO 03094346
【０００４】
ＲＦ回路からの２つの給電（フィーダ）線をアンテナに設けて、これによりバンド毎により良好な整合が得られ、従ってバンド幅が増加することが、国際特許出願公開WO 03094346より知られている。このことはより小さいアンテナサイズをもたらし、このことはモバイル・ハンドセットのような用途にとって有用である。しかし、この回路は製造するにはより複雑になる、というのは、配線の金属及びアンテナ結合器のレイアウトはより慎重な設計を必要とし、そして一般に許容誤差がより小さいからである。キャパシタはより慎重に整合させる必要があり、ここでも許容誤差は小さい。また、装置はよりモジュール化しにくい、というのは、ＲＦ回路とのインタフェースはもはや規格型インタフェースではなく、従って、異なるモジュールの柔軟性（フレキシビリティ）または選択性が小さいからである。
【０００５】
【特許文献２】米国特許第6,714,766号
【０００６】
また、送信機または受信機のいずれかをアンテナに接続またはアンテナから切断するためのダイオードスイッチを置き換える受動回路網を設けることが、米国特許第6,714,766号より知られている。対称ポートを有するフィルタは、送信機または受信機のいずれかを接地に接続し、他方をアンテナに接続する働きをする。
【０００７】
改善された回路の必要性が残されている。
【発明の開示】
【発明が解決しようとする課題】
【０００８】
本発明の目的は、改善された装置または方法を提供することにある。本発明の第１の態様によれば、次のものが提供される：
【課題を解決するための手段】
【０００９】
２つ以上のバンド用の受信パス、及びこれらのバンドの少なくとも１つ用の送信パス、これらのパスを結合してアンテナに結合させるための結合回路、及びこの結合回路の前方の各受信パス内にあるバンド毎の受信パス回路を有するマルチバンドＲＦ回路、各受信パス回路は、当該バンドの信号は通過させ、他のバンドの信号に対しては開放回路に見えるように構成されている。
【００１０】
このことは、上記結合回路を簡略化することを可能にする手助けとなる、というのは、受信パスを使用しない際に受信パスを遮断（カットオフ）する必要はもはやないからである。このことは、送信パスがより少数の構成部品を持つか、あるいは、例えば受信パスへの不所望な漏洩（リーク）がより大きい、より低度の仕様の構成部品を持つことを可能にする効果を有し得る。送信パス内のより少数の構成部品は、伝送損失を顕著に低減することができ、このことは、例えばモバイル用途におけるより長いバッテリ寿命、あるいは所定の電力増幅器に対するより大きな送信範囲のような顕著な利点をもたらし得る。一般に、これらの利点は、より多数の部品の追加コスト及び受信パスにおけるより大きな損失を上回る。多くの場合には、（送信（ＴＸ）パス内及び受信（ＲＸ）パス内の両方の）通常のダイプレクサが概念的に半分に分けられ、ＲＸパス内にしか設けられていない受信パスには、それ以上の構成部品または損失は存在しない。
【００１１】
従属請求項に記載の追加的な特徴は、２つ以上のバンドのパスを一緒に結合するための、固定で双方向の１入力他出力の接合部を有する結合回路である。このことは開放回路の特徴を活用する一方法であり、スイッチング（切り換え）またはダイプレクス（二重）回路のいくつかを置き換え、上述したように、送信パスにおける伝送損失を低減して、バッテリ寿命または送信範囲を増加させることができる。
【００１２】
他の追加的な特徴は、バンドフィルタの帯域外インピーダンスを補完して開放回路を達成するためのバンドフィルタ及びコンプリメンタリ（補完）回路を有する受信パス回路である。このことは、回路の量を減らす手助けとなり得る。そしてより良好な開放回路特性を可能にし、伝送損失を低減することができる。
【００１３】
他のこうした追加的特徴は、異なるバンドのパスを結合するための伝送線路（ライン）接合部を具えた結合回路である。この特徴は、受動構成部品またはスイッチのような代替部品にとって好ましい、というのは、構成部品の損失が存在しないからである。バンド間に存在するギャップが不十分である場合に、代替部品が必要となり得る。
【００１４】
他のこうした追加的特徴は、バンド毎に送信パスと受信パスとをバンド毎に結合するためのスイッチである。この特徴は、送信周波数と受信周波数との間に存在するギャップが小さい所で有用である。
【００１５】
他のこうした追加的特徴は、バンド内信号に対する特性インピーダンスを維持し、かつバンド外信号にとって開放回路となることに寄与するための受動構成部品を具えた各コンプリメンタリ回路である。こうした受動構成部品は一般に、伝送線路素子のような代替部品より小型にすることができ、このことはモバイル・ハンドセットのような用途にとって有用である。
【００１６】
他のこうした追加的特徴は、音響波フィルタで構成されるバンドフィルタである。こうしたフィルタは一般に、反射性が支配的な（通常は容量性で少し抵抗性の）帯域外インピーダンスを示し、全体的な開放回路特性に寄与し得る。
【００１７】
他のこうした追加的特徴は２つのバンド及び２つの受信パスである。このことはＧＳＭ無線、あるいはモバイル無線及びＧＰＳバンドのような用途にとって有用である。
【００１８】
他のこうした追加的特徴は、送信パスは他のバンドと共用するように構成され、かつ独立した受信パスを有する第３バンドである。
【００１９】
他のこうした追加的特徴は、上記結合回路の前方にあり、上記第３バンドの受信パスを他のバンドの受信パスと結合するための第２伝送線路接合部である。この特徴は、３バンド・モバイル・ハンドセット及び将来の３Ｇバンド用のハンドセットのような用途にとって有用であり得る。
【００２０】
他の態様は、単一の入力アンテナ整合回路及び１つのアンテナに結合されたマルチバンドＲＦ回路を有する装置を提供する。
【００２１】
他の態様は、上記装置を有するバッテリ給電のモバイル機器である。
【００２２】
他の態様は、上記装置を有する固定基地局を提供する。
【００２３】
上記追加的特徴のいずれもが、互いに組み合わせることができ、あるいは本発明の他の態様と組み合わせることができ、このことは当業者にとって明らかである。特に発明者の知らない他の従来技術に対する他の利点は、当業者にとって明らかであり得る。
【発明を実施するための最良の形態】
【００２４】
以下、本発明の実施例について図面を参照しながら説明する。
【００２５】
本発明の実施例への導入として、既知の無線端末を図１を参照しながら説明する。本発明の実施例はこの図に示す多くの部分を用いることができる。この無線端末は、給電（フィーダ）線１２及び１４を有するプレーナ（板状）逆Ｆ型アンテナ（ＰＩＦＡ：Planar Inverted F Antenna）１０を具え、これらの給電線に、880〜960MHzの周波数バンド内で動作するＧＳＭトランシーバ、及び1710〜1880MHzの周波数バンド内で動作するＤＣＳ（ディジタルセルラーシステム）トランシーバがそれぞれ接続されている。給電線１２、１４の間には接地（グラウンド）ピン１６が設けられている。ＧＳＭ及びＤＣＳトランシーバのアーキテクチャは概ね同じであるので、対応する段はそれぞれ添字Ａ及びＢで参照し、そして簡単のためＧＳＭトランシーバのみについて説明する。ＧＳＭトランシーバの送信機部分は、入力信号処理段２０Ａに結合された入力端子１８Ａを具えている。段２０Ａは変調器２２Ａに結合され、変調器２２Ａは変調信号を送信段２４Ａに供給し、送信段２４Ａは周波数アップコンバータ、電力増幅器、及び関連するフィルタを含む。共通結合段２６Ａは、送信段をアンテナ給電線１２に結合する。共通結合段２６Ａ及び２６Ｂは以下でより詳細に説明する。結合段２６Ａは、ＧＳＭトランシーバの受信機部分２８Ａ、及び給電線１２にも結合されている。
【００２６】
受信機部分２８Ａは、低雑音（ローノイズ）増幅器、周波数ダウンコンバータ、及びフィルタを含む。受信機部分２８Ａの出力は復調器３０Ａ内で復調され、その出力は信号処理段３２Ａに供給され、信号処理段３２Ａは出力信号を端子３４Ａ上に供給する。両方のトランシーバの動作はプロセッサ３６によって制御される。
【００２７】
ＰＩＦＡは、各給電線間に低い値の分路（シャント）インダクタンスを含む。このインダクタンスは、各給電線上の分路キャパシタ４６Ａ、４６Ｂが、このインダクタンスと共にアンテナの共振周波数で共振することによって調整される。これらの給電線は独立しているので、各キャパシタンスは独立して最適化することができ、両方のバンドについてより広いバンド性能を生じさせ、２つのバンド間の妥協を必要としない。２本の給電線１２、１４でエネルギーが転送されることを防止するため、アンテナは、共通結合段２６Ａ、２６Ｂを設けることによってＲＦフロントエンドと共に協調設計される。結合段２６Ａ、２６Ｂのアーキテクチャは、構成要素の値を特定の使用周波数用に選択するという１つの違い以外は同じであり、適切な所では、結合段２６Ａ及び２６Ｂ内の対応する構成要素を、それぞれ添字ＡまたはＢ付きの同じ参照番号を用いて示す。
【００２８】
便宜上、結合段２６Ａを説明し、結合段２６Ｂ内の対応する構成要素の参照番号はかっこ内に示す。送信段２４Ａ（２４Ｂ）の出力は低損失ＰＩＮ（p-intrinsic-n：中間絶縁層付き）ダイオードＤ１（Ｄ３）のアノード（陽極）に結合され、そのカソード（陰極）は直列インダクタンス４８Ａ（４８Ｂ）の一端に結合されている。インダクタンス４８Ａの他端は、給電線１２（１４）、分路キャパシタ４６Ａ（４６Ｂ）、及び１／４波長（Ａ／４）伝送線路５０Ａ（５０Ｂ）に結合されている。伝送線路５０Ａ（５０Ｂ）の他端は低損失ＰＩＮダイオードＤ２（Ｄ４）のアノードに結合され、そのカソードは接地に結合され、そしてバンドパス（帯域通過）フィルタ５２Ａ（５２Ｂ）の入力に結合されている。フィルタ５２Ａ、５２ＢはＳＡＷ（Surface Acoustic Wave：表面弾性波）フィルタで構成することができる。フィルタ５２Ａ（５２Ｂ）の出力は受信機部分２８Ａ（２８Ｂ）の入力に結合されている。
【００２９】
フィルタ５２ＢをＳＡＷフィルタとして実現する場合には、ＦＲ共振トラップ回路５４を、伝送線路５０Ｂの他端からバンドパスフィルタ５２Ｂの入力までの信号パス（経路）内に設ける。このトラップ回路は、直列キャパシタ５６及び分路インダクタンス５８を具え、分路インダクタンス５８はキャパシタ６０によって接地に結合されている。キャパシタ６０の値は、フィルタ５２Ｂへの入力における電圧が低減されるようにインダクタンス５８を調整すべく選択する。一般に、こうしたＳＡＷフィルタは、13dBmの電力までの帯域内信号を処理することができる。しかし、帯域外信号については、より高い電力をこうしたフィルタに送達することができ、このことは、ＧＳＭ信号は30dBmまでの電力を有し得るので有用である。代案の実現では、ＢＡＷ（）Bulk Acoustic Wave：バルク弾性波）フィルタが考えられる、というのは、これらのフィルタはＳＡＷデバイスと同じ帯域外インピーダンス特性を示し、またＳＡＷフィルタに存在する電力対応制限の問題がないからである。
【００３０】
図２に、異なるバンドのパスを結合するダイプレクサを有する他の既知の装置を示す。２つのバンドを使用し、この場合には900及び1800MHzである。受信及び送信パスはバンド毎に示し、ＩＦ（中間周波数）及びベースバンド処理回路は示さず、これらの回路は例えば図１で説明したようにすることができる。ＳＡＷフィルタの形のバンドパスフィルタを各受信パス内に示す。各送信パスは送信機整合回路、及び高調波フィルタを有する。スイッチを用いて、各バンドの送信及び受信パスを結合する。バンド毎のスイッチはダイプレクサへの経路を有し、ダイプレクサはアンテナ整合回路を経由したアンテナへの単一パスを有する。この場合には、ダイプレクサは一般に、50オーム系では約0.5〜0.7dBの損失を生じさせ、一般的なアンテナを使用する際にはこれより大きくなる。このことは特に送信モードでは、バッテリ電力が失われるので不所望である。
【実施例１】
【００３１】
図３に第１実施例を示す。この場合には、ＲＦ回路が２つのバンド（それ以上追加することができる）毎の受信パス、及び少なくとも１つのバンド用の送信パスを有する。結合回路１００はこれらのパスを結合して、アンテナへの単一の入出力パスを提供する。結合回路１００は、受信パスが使用されていない際に受信パスを遮断する必要はない、というのは、各受信パスには、帯域外信号にとって開放回路に見える受信パス回路１１０が設けられているからである。電力増幅器のような送信及び受信回路の他の部分は図示していない。この回路は、図１に示すモバイル・ハンドセット用のトランシーバへのＲＦフロントエンドとして適用することができる。
【実施例２】
【００３２】
図４に、図２と類似した特徴を有する他の実施例を示す。図２に比べれば、ダイプレクサのハイパス（高域通過）及びローパス（低域通過）側をＲＸ（受信）信号パス内に移動したように、ＲＦフロントが変更されており、従ってこれを分散型ダイプレクサと称する。ＧＳＭが送信中である際にはＤＣＳを受信側に切り換え、そしてその逆のことを行う。従って、分散型ダイプレクサは、点Ｘにおいて反射インピーダンス（通常は開放回路）を提供することによって、受信パス内で伝送信号に損失が生じないことを保証する。ハイパス及びローパスフィルタは図３の受信パス回路の有効な例である。スイッチ及び点Ｘにおける接合部は図３の結合回路の有効な例である。
【００３３】
受信回路における二重化（ダイプレクス）作用は、ＳＡＷフィルタ（または等価なセラミックフィルタ及びＢＡＷフィルタ）の帯域外性能を利用することによってさらに拡張することができる。このことは回路の受信部における損失を最小化する。この場合には、分散型ダイプレクサにおけるバンドフィルタ（ＳＡＷフィルタ）とハイパスまたはローパスフィルタとの組合せは、受信パス回路の例として考えることができる。このことは上記開放回路の品質を改善することができ、従って、開放回路における不完全性によって生じるあらゆる伝送電力損失を低減することを手助けする（ＢＡＷ及びＳＡＷデバイスは、別個の（ディスクリート）構成部品から製造したフィルタより反射性が高いので）。ＩＦ及びベースバンド処理回路は図示しておらず、これらは例えば図１で説明したようにすることができる。
【００３４】
図５に、バンドフィルタ１６０及びコンプリメンタリ（補完）回路１５０の例を示す。これらは図３の受信パス回路１１０内、または図４のＳＡＷ及びハイパスフィルタ、あるいは他の実施例に用いることができる。バンドフィルタ１６０は、接地への抵抗器Ｒ１と直列なインダクタＬ１として表現される構成部品とすることができる。コンプリメンタリ回路は、バンドフィルタと組み合わせて、帯域外信号にとって、特に他のチャンネルから想定することのできる帯域外信号にとって開放回路に見える所望の特性を提供するような特性を有するように構成されている。この場合のコンプリメンタリ回路は、インダクタＬ２とＬ３の対、及びこれらのインダクタ間のノード（節点）を接地に結合するキャパシタＣ１によって表わされる。同様の効果を達成するための他の構成も考えられる。同じ構成のさらなる段を追加することができる。この構成は通常のＬ／Ｃまたはπ型回路を用いることができ、あるいは、例えば適切な寸法の伝送線路によって実現することができる。バンドフィルタが容量特性を示す場合には、上記コンプリメンタリ回路は、例えばキャパシタとインダクタの位置を交換することによって、確立された原理に従って誘導性にすることができる。
【００３５】
図６及び７に、２つ以上のバンドのパスを一緒に結合するための、固定の双方向１入力多出力接合部を有する結合回路を示す。図６に、このことを達成するための既知の構成を有するマイクロストリップ伝送線路の平面図を示す。図７に、導電層２１０上の絶縁層２００上に配置された線路１９０の側面図を示す。
【００３６】
図８に、ＳＡＷフィルタの例のスミスチャートを示し、この場合には、市販のＤＣＳ  ＳＡＷであるSAWTek社の855860wの周波数応答を図８に示す。このデバイスは、図８に示すようにＧＳＭにおける反射性が高い（この場合には容量性である）。このことは共振ＳＡＷフィルタの典型である。チャート上には２本の線が表わされ、デバイスのいずれかの側面から見た応答を示し、800MHz〜3GHzの周波数範囲にわたる。黒色の三角形は関係周波数におけるインピーダンスを示す。コンプリメンタリ回路は、いずれかの三角形をチャートの中心線の右端付近に移動させるように設定された応答を有する必要がある。上記開放回路は完全な開放回路である必要はなく、実際には、開放回路に近いほど送信電力の損失が少ない。電力損失が送信パスにおける従来のダイプレクサの損失より小さい程度に、開放回路に十分近くあるべきである。ＳＡＷフィルタのこの例については、関係点は次式の通りである：
Ｓ1a：880MHz，Ｓ(1, 1)＝0.946／-76.232，インピーダンス＝Ｚ0×(0.073−j1.272)
Ｓ1b：960MHz，Ｓ(1, 1)＝0.938／-82.993，インピーダンス＝Ｚ0×(0.073−j1.228)
Ｓ2a：880MHz，Ｓ(1, 1)＝0.966／-77.116，インピーダンス＝Ｚ0×(0.044−j1.254)
Ｓ2b：960MHz，Ｓ(1, 1)＝0.962／-84.003，インピーダンス＝Ｚ0×(0.043−j1.110)
【００３７】
ＳＡＷフィルタの電力対応能力は、音響共振及び電気的破壊（ブレークダウン）によって決まる。音響共振はＳＡＷフィルタの劣化をもたらす。電気的破壊は、非常に薄い絶縁層における高電界によって発生し得る。デバイスを帯域外で動作させる際には、これらの要因のうち２番目のものが重要になる（共振周波数より上にはいくつかの大きな音響モードが存在し得るが、これらがデバイスの電力対応能力に与える影響は小さいものと考えられている）。このことは、帯域外で使用する際に、比較的高い電力がデバイスに送達されることを許容する。正確な電力レベルはデバイスに依存する。デバイス両端の帯域外電圧の電力が高すぎるならば、共振トラップを設けてこの電力を許容限度内にもっていくことができる。ＢＡＷフィルタは、ＳＡＷフィルタの同等品として、全く同様に用いることができる、というのは、ＢＡＷフィルタは共振ＳＡＷデバイスと同様の帯域外インピーダンス特性を示すからである。しかし、ＢＡＷフィルタには、ＳＡＷフィルタに存在する電力対応制限の問題がない。この種のＳＡＷ用のコンプリメンタリ回路は、帯域外（ＯＯＢ：Out of Band）特性を開放回路（の特性）にもっていくために誘導特性を示す必要があり、この特性は、スミスチャートの中心線の右端付近の値によって表現される。
【００３８】
図９に、図４と同様の回路に、ＧＰＳ信号のような第３のバンドを受信するためのパスを追加した回路を示す。図６及び７の接合部と同様の接合部を設けて、このパスをＤＣＳバンドの受信パスに結合することができる。これは上記第２伝送線路接合部の例である。この第３バンドはＳＡＷフィルタ２２０のような自前のバンドフィルタを有する。コンプリメンタリ回路は２つの部分、即ちＡ（２４０）とＢ（２３０）に分割されている。部分Ａは結合回路の前方の結合受信パス内にある。部分Ｂは結合回路の後方にある。前のように、コンプリメンタリ回路の目的は、各受信パスが帯域外信号にとって開放回路に見えるようにすることにある。
【００３９】
図１０に、モバイル・ハンドセット及び基地局３１０に応用した例を示す。各々が、結合回路１００及び受信パス回路１１０を含むＲＦ回路を有する。図３に示すように、各ＲＦ回路は、２つのバンド（それ以上追加することができる）毎の受信パス、及びこれらのバンドの少なくとも１つ用の送信パスを有する。結合回路１００はこれらのパスを結合して、アンテナへの単一の入出力パスを提供する。結合回路は、受信パスが使用されていない際に受信パスを遮断する必要はない、というのは、各受信パスには、帯域外信号にとって開放回路に見える受信パス回路１１０が設けられているからである。電力増幅器、フィルタ、及びアンテナ整合回路のような送信及び受信回路の他の部分は図示していない。
【００４０】
以上説明したように、マルチバンドＲＦ回路は２つ以上のバンド用の複数の受信パス、送信パス、及びパスを結合してアンテナに結合させるための双方向１入力多出力伝送線路接合部を有する。スイッチは送信パスと受信パスとを結合し、受信パス回路は、そのバンドの信号を通過させ、他のバンドの信号にとっては開放回路に見える。このことは、結合回路はもはや、受信パスが使用されていない際に受信パスを遮断する必要はないことを意味する。これにより、構成部品を減らし、従って、より長いバッテリ寿命またはより大きい送信範囲のために送信パスにおける損失を低減することができる。バンドフィルタ（ＳＡＷ）及びコンプリメンタリ回路は開放回路を達成することができる。上記バンドはＧＳＭ及びＧＰＳバンドを含むことができ、上記回路は、３バンド・モバイル・ハンドセット及び将来の３Ｇバンド用のハンドセット、あるいは基地局において使用することができる。
【００４１】
請求項の範囲内の他の変形例は当業者にとって明らかである。
【図面の簡単な説明】
【００４２】
【図１】既知の装置を示す図である。
【図２】既知の装置を示す図である。
【図３】本発明の実施例を示す図である。
【図４】本発明の実施例を示す図である。
【図５】受信パス回路の例を示す図である。
【図６】結合回路の例を示す図である。
【図７】結合回路の例を示す図である。
【図８】受信パス回路についてのスミスチャートである。
【図９】第３バンドを有する実施例を示す図である。
【図１０】基地局及びモバイル機器の具体例を示す図である。
【図１】
2008522533.tif 000003
【図８】
2008522533.tif 000004
【図２】
2008522533.tif 000005
【図３】
2008522533.tif 000006
【図４】
2008522533.tif 000007
【図５】
2008522533.tif 000008
【図６】
2008522533.tif 000009
【図７】
2008522533.tif 000010
【図９】
2008522533.tif 000011
【図１０】
2008522533.tif 000012
【国際調査報告】
2008522533.tif 000013
2008522533.tif 000014
2008522533.tif 000015